【事件の表示】
　特願２００１−　６７４９２「ハーフトーンの処方カラーイメージをプリントする装置及び方法」拒絶査定不服審判事件〔平成１３年１０月２３日出願公開、特開２００１−２９３９０８〕について、次のとおり審決する。
【結　論】
　本件審判の請求は、成り立たない。
【理　由】
１　手続の経緯・本願発明
（１）手続の経緯
　本願は、平成１３年３月９日（パリ条約による優先権主張２０００年３月２３日、米国）の出願であって、平成２２年７月２日に手続補正がなされ、同年８月４日付けで拒絶査定がなされ、これに対して、同年１１月１５日に拒絶査定不服審判が請求され、当審において、平成２３年９月２日付けで拒絶の理由（以下「当審拒絶理由」という。）が通知され、同年１１月３０日付けで手続補正がなされたものである。
　なお、請求人は、平成２３年１１月３０日付けで意見書を提出している。
　
（２）本願発明　
　本願の請求項１ないし３に係る発明は、平成２３年１１月３０日付け手続補正によって補正された明細書の特許請求の範囲の請求項１ないし３に記載された事項によって特定されるものであるところ、その請求項１に係る発明は、平成２３年１１月３０日付け手続補正によって補正された明細書及び図面の記載からみて、次のとおりのものであると認める。
「ハーフトーンのイメージをプリントする装置であって、
　プリントヘッドと、
　前記装置内に設けられた複数のドナーカラーと、
　複数のイメージカラーのためのハーフトーンビットマップファイルと、前記ハーフトーンビットマップファイルの中の一つに対応する特定色のためのカラー処方情報を取得するレシーバと、
　を備え、
　前記カラー処方情報は、第１の輝度でプリントされた第１のドナーカラーと、第２の輝度でプリントされた第２のドナーカラーを同じ１つのビットマップを用いて特定し、
　前記プリントヘッドは、前記カラー処方情報に基づいて前記特定色のハーフトーンビットマップをイメージ形成する
　ことを特徴とする装置。」（以下「本願発明」という。）
　
２　当審拒絶理由の概要
　当審拒絶理由の理由１及び２の概要は次のとおりである。
理由１：
　本願の請求項１ないし３に係る発明（以下、総称して「本願発明」という。）は、その優先日前に日本国内又は外国において頒布された下記の刊行物１ないし８に記載された発明に基いて、その優先日前にその発明の属する技術の分野における通常の知識を有する者が容易に発明をすることができたものであるから、特許法第２９条第２項の規定により特許を受けることができない。
　　　　　　　　　　　　　　　　記
刊行物１：特開平１１−６９１７３号公報
刊行物２：特開平１１−２７７８３１号公報
刊行物３：特開２０００−７１４８８号公報
刊行物４：特開２０００−６２２７３号公報
刊行物５：特開２０００−６２２７２号公報
刊行物６：特開平１０−１９３８１６号公報
刊行物７：特開平１０−１３８５３５号公報
刊行物８：特開平９−１５０５３５号公報
　
（備考）
…略…
　
理由２：
　本願は、特許請求の範囲の記載が下記の点で、特許法第３６条第６項第１号及び第２号に規定する要件を満たしていない。
　　　　　　　　　　　　　　　　　記
（１）請求項１及び２には、
「　【請求項１】　ハーフトーンのイメージをプリントする装置であって、
　プリントヘッドと、
　前記装置内に設けられた複数のドナーカラーと、
　複数のイメージカラーのためのハーフトーンビットマップファイルと、前記ハーフトーンビットマップファイルの中の一つに対応する特定色のためのカラー処方情報を取得するレシーバと、
　を備え、
　前記カラー処方情報は、第１の輝度でプリントされた第１のドナーカラーと、第２の輝度でプリントされた第２のドナーカラーを特定し、
　前記プリントヘッドは、前記カラー処方情報に基づいて前記特定色のハーフトーンビットマップをイメージ形成する
　ことを特徴とする装置。
　　【請求項２】　請求項１に記載の装置であって、前記プリントヘッドは、共に真空式イメージングドラムにマウントされるドナーシートからサーマル媒体へとカラーを転写することを特徴とする装置。」と記載されている。（２）しかしながら、本願明細書の発明の詳細な説明に記載されている具体的技術事項のうちのどの記載が、それぞれ、本願発明の次の事項に対応する記載なのかが不明である。
　ア　「ハーフトーンのイメージをプリントする装置」内に「複数のドナーカラー」を「設け」る。
　イ　「複数」の「イメージカラーのためのハーフトーンビットマップファイル」
　ウ　「前記ハーフトーンビットマップファイルの中の一つ」
　エ　「レシーバ」が「特定色のためのカラー処方情報」を「取得」する。
　オ　「第１の輝度」で「プリント」された「第１のドナーカラー」
　カ　「第２の輝度」で「プリント」された「第２のドナーカラー」
　キ　「前記特定色のハーフトーンビットマップ」を「イメージ形成」する。
（３）よって、請求項１及び２に係る発明は、発明の詳細な説明に記載したものでないとともに明確でもない。
　
３　請求人の主張の概要
　請求人は、意見書において、概略次のように主張している。
理由１に対して：
　刊行物１には、２色の特色インクを用いてカラー画像を形成することが記載されており、段落００２５等には、特色対応テーブルに従って、特色１、特色２の成分割合としてＣＭＹＫ何れか２色の成分の割合を当てはめ（例えば、特色１にＣ成分、特色２にＭ成分を割り当てることに設定されている場合に、特色１にｃｉ％、特色２にｍｉ％を割り当てる）、その後、ＣＭＹＫの４成分を生成してカラー出力することが記載されているものの、特色対応テーブルに従って特色１，２の割合を決定するだけであり、同じビットマップを用いて特色１と特色２を割り当てるものではない。
　既述したように、通常は各カラー毎に異なるビットマップが用いられ、それぞれのビットマップにおいて当該カラーの割り当てが決められるのであり、この刊行物１にも特にビットマップについて言及されていない以上、特色１用のビットマップ及び特色２用のビットマップというそれぞれ別のビットマップで規定されると解釈する他ない。
　また、他の刊行物２−８にも、一般的なカラープリンタの構成が開示されているだけであって、本願発明のように特定色のためのカラー処方情報として、同じ１つのビットマップを用いて第１のドナーカラーと第２のドナーカラーを特定することは開示されていない。
　したがって、刊行物１〜８の記載に基づいて、本願発明を容易に想到できたとすることは到底できないというべきである。
　
理由２に対して：
（１）アについて：
　出願当初の明細書の段落００３５には、イメージ処理装置１０内に染料ドナーロール材料のロール３４が設けられること、典型的には、黒、黄色、マゼンタ及びシアンの染料ドナーロール材料が含まれることが記載されている。
（２）イ及びウについて：
　出願当初の明細書の段落００４５には、ＲＩＰはハーフトーンのイメージをディジタルファイル内のアートワーク、ラインワーク及びテキストと結合して、シアン５４４、マゼンタ５４３、黄色５４２、及び黒５４１用のビットマップファイルを作ることが記載されており、段落００４６には、プロセスカラーを最大輝度で用いても再生することができない特別なカラーに対してＲＩＰが特別なカラーのビットマップファイル５４５を作ることが記載されている。さらに、段落００５１には、処方カラーを作るために、ＲＩＰは各処方カラーについて１つの追加のビットマッププレーンを生成すること、図１３で処方カラーのビットマップ５４６として示されていることが記載されている。
（３）エについて：
　出願当初の明細書の段落００４９には、ＲＩＰ５４０が特別なカラーのビットマップファイルを作り、それを処方カラーのビットマップファイル５４６としてセーブし、ディジタルハーフターンプルーファ５５０がビットマップ５４６を用いてイメージ形成することが記載されている。また、図１３には、ビットマップファイル５４６等がディジタルハーフトーンプルーファ５５０に供給されることが矢印で図示されており、ディジタルハーフトーンプルーファ５５０が特定色のためのカラー処方情報を取得するレシーバとして機能することを示している。
（４）オ、カについて：
　出願当初の明細書の段落００５５には、図１３で参照番号５４６として記憶された処方カラーのビットマップは、コダック赤色用のビットマップを含み、同じビットマップを使用してマゼンタのパス３３０及び明るい黄色のパス３４０を、互いの上に両方のカラーを重ね合わせてイメージ形成することが記載されている。ここで、第１の輝度でプリントされた第１のドナーカラーはマゼンタを示し、第２の輝度でプリントされた第２のドナーカラーは黄色を示す。また、同段落には、処方カラーとしてコダック黄色用のビットマップも記載されており、明るいマゼンタ３８０及び中間の黄色３９０のカラーパスの両方をイメージ形成するために使用されることが記載されている。ここで、第１の輝度でプリントされた第１のドナーカラーはマゼンタを示し、第２の輝度でプリントされた第２のドナーカラーは黄色を示す。
（５）キについて：
　出願当初の明細書の段落００４９には、既述した通りディジタルハーフトーンプルーファ５５０がイメージ形成することが記載されているが、さらに、段落００３６にはプリントヘッド５００が意図したイメージをサーマルプリント媒体３２上に作ることが記載されている。
（６）まとめ
　このように、拒絶理由通知で指摘された事項は、発明の詳細な説明に記載されているので、本願は特許法第３６条の要件を満たしている。
　
４　刊行物の記載事項　
　当審拒絶理由で引用された「本願の優先日前に頒布された刊行物である特開平１１−６９１７３号公報（以下「引用例」という。）」には、図とともに次の事項が記載されている（下線は審決で付した。以下同じ。）。
（１）「【請求項１】データを入力する入力手段と、
前記入力手段より入力され、カラー画像データおよびカラー画像の基本構成色を特色２色に対応させる特色対応テーブルと、
前記入力手段により入力された画像データを記憶する画像データ記憶手段と、
前記画像データ記憶手段に記憶された画像データを読み出して、前記特色対応テーブル情報を付加して出力データに変換する出力データ作成手段と、
前記出力データ作成手段により得られた出力データを出力装置に出力する出力手段とを有することを特徴とする文書作成装置。
【請求項２】前記出力手段の出力する出力装置はイメージセッターであり、特色毎に２版に分版して出力することを特徴とする請求項１記載の文書作成装置。」
　
（２）「【発明の詳細な説明】
【０００１】
【発明の属する技術分野】本発明は、
２色の特色インクを重ね刷りしてカラー画像を作成する文書作成装置
【０００２】
【従来の技術】従来、文書作成装置において、２色の特色インクを用いてカラー画像を作成する場合、図１４に示すように、ＣＲＴ表示画面上で作成したカラー画像を、プロセスカラーの４色（ＣＭＹＫ）に分解して得られたシアンＣ、マゼンタＭ、イエローＹ、ブラックＫの４版のうちの２版を、特色２色とみなして分版出力し、分版結果にそれぞれの特色インクで着色して重ね刷りすることにより、２色刷り画像を作成していた。
【０００３】
【発明が解決しようとする課題】このような文書作成装置では、ＣＲＴ画面表示色や、カラープリンタによる印刷色が、仮に対応させたプロセスカラー４色（ＣＭＹＫ）を合成した色となってしまうので、実際の印刷物とは色が異なってしまうという欠点がある。このため、分版出力して実際に２色の特色インクで着色して２色刷りしないと色の確認ができないという問題点を有していた。
【０００４】本発明は、特色２色によるカラー画像作成時において、画像の色合いを調整する表示画面の画像の色と、特色２版に分解して分版出力した画像の色とが同じとなる文書作成装置を提供することを目的とする。
【０００５】
【課題を解決するための手段】この課題を解決するために本発明は、データを入力する入力手段と、入力手段より入力され、カラー画像データおよびカラー画像の基本構成色を特色２色に対応させる特色対応テーブルと、入力手段により入力された画像データを記憶する画像データ記憶手段と、画像データ記憶手段に記憶された画像データを読み出して、特色対応テーブル情報を付加して出力データに変換する出力データ作成手段と、出力データ作成手段により得られた出力データを出力装置に出力する出力手段と、を有する構成とした。
【０００６】これにより、特色２色によるカラー画像作成時において、特色２色による２色刷り画像が、表示画面に表示される画像と同じ色合いとなる文書作成装置が得られる。
【０００７】
【発明の実施の形態】本発明の請求項１に記載の発明は、データを入力する入力手段と、入力手段より入力され、カラー画像データおよびカラー画像の基本構成色を特色２色に対応させる特色対応テーブルと、入力手段により入力された画像データを記憶する画像データ記憶手段と、画像データ記憶手段に記憶された画像データを読み出して、特色対応テーブル情報を付加して出力データに変換する出力データ作成手段と、出力データ作成手段により得られた出力データを出力装置に出力する出力手段と、を有する構成としたことにより、特色２色によるカラー画像作成時において、特色２色による２色刷り画像が、表示画面に表示される画像と同じ色合いとなる。」
　
（３）「【０００８】
【実施例】以下、本発明の一実施例について、図面を参照しながら説明する。
【０００９】まず、表示・印刷の対象となる文書は、一般に、図８に示すように罫線、文字、図形、画像などのデータから構成される。
【００１０】このような文書を特色２色刷りで表示・印刷するとき、罫線・文字・図形データについては、図９に示すように、比較的容易に２色を混合した色での表示・印刷が実現できる。
【００１１】これについて説明すると、最初に、各データ毎に、色属性として特色１と特色２の混合比率を設定する。別途設定した特色１・特色２の表示色定義と、前記文書データの色属性を用いて、ＣＲＴ表示色やカラープリンタ出力色が得られ、その色で各データを表示・印刷する。また、前記文書データの色属性のうちの特色１成分を用いて分版出力の特色１版が得られ、特色２成分を用いて分版出力の特色２版が得られる。ところが、画像データについては、個々の画素ごとに色属性（ＣＭＹＫ）が既に決まっており、新たに色属性として特色１と特色２の混合比率を設定することは容易ではなく、罫線・文字・図形データと同じ処理を行うことができない。
【００１２】図１は本発明の一実施例における
文書作成装置
【００１３】図１において、１は
装置全体の制御及び各種データ処理を行うＣＰＵ（中央処理装置）
各種データを記憶するＲＡＭ（ランダム・アクセス・メモリ）
ＣＰＵ１が実行する制御プログラムのほか、各種のプログラムを記憶するＲＯＭ（リード・オンリー・メモリ）
キーボードやマウスなどの入力装置
原稿のイメージをＲ（赤）、Ｇ（緑）、Ｂ（青）成分毎に読み取りそれをＣＭＹＫ４色のデータに変換して出力するカラースキャナ
ＣＲＴや液晶などの表示装置
電子写真方式やインクジェット方式などによるカラープリンタ
Ｃ（シアン）、Ｍ（マゼンダ）、Ｙ（イエロー）、Ｋ（黒）の４色の組み合わせによりカラー出力を行う
版下作成用のフィルムにレーザーによって文書イメージを記録するイメージセッター
フルカラー印刷を行う場合には、１文書につき、印刷用の各色版に対応した合計４版の出力が行われ
【００１４】
ＲＡＭ２内には、文書データを記憶する文書データ記憶部９、および特色対応テーブルを記憶する特色対応テーブル記憶部１０が設けられ
【００１５】
文書データ記憶部９に記憶される文書データは、
文書名、書式情報、文字データ、図形データ、罫線データ、画像データなどから構成されている
文字データは入力装置４から入力される文字コード列であり、図形データおよび罫線データは、図形の種類、図形・罫線の位置、サイズなどの情報からなる
この文字データ、図形データ、罫線データは、書式情報中の文字色情報、図形色情報、罫線色情報に基づく色で出力され
【００１６】これら
各色情報は、
ＣＭＹＫ、および特色１、特色２という６種類の項目を有し、これらの項目は入力装置４によってそれぞれ０から１００％の値が設定され
【００１７】また、
画像データは、カラースキャナ５から読み込まれるものであって
各画素毎にＣＭＹＫの４つの色成分を有する
【００１８】特色対応テーブル記憶部１０に記憶されるの
特色対応テーブルは、
各特色を識別するための特色名称
特色をＣＭＹＫの成分で表現した場合の各色成分の比率
画像データを特色で出力する場合に、各特色に画像データ中のどの色成分（ＣまたはＭまたはＹまたはＫ）を割り当てるかを示す情報から構成され
特色名称とＣＭＹＫ成分比率
メーカーが公表している
【００１９】上記した特色対応テーブルの内容は、図４に示すような設定画面によって設定される。
【００２０】図２は本発明の一実施例における文書作成装置の機能ブロック図である。図２において、１１は文書データ記憶部９に記憶されている文書データ中の画像データに対して、特色対応テーブル記憶部１０に記憶されている特色対応テーブルに基づいて、表示用データを作成して表示装置６に表示する表示制御部、１２は文書データ記憶部９に記憶されている文書データ中の画像データに対して、特色対応テーブル記憶部１０に記憶されている特色対応テーブルに基づいて、カラープリンタ出力用データを作成して、カラープリンタ７に表示するカラー出力制御部、１３は文書データ記憶部９に記憶されている文書データ中の画像データに対して、特色対応テーブル記憶部１０に記憶されている特色対応テーブルに基づいて、分版出力用データを作成して、イメージセッター８に出力する分版出力制御部である。
【００２１】以上のように構成された本実施例の文書作成装置において、フルカラー出力を行う場合、および特色２色出力を行う場合の処理について図７、図１０を用いて説明する。
【００２２】まず、図７に示すように、
フルカラー出力する場合
文書データの色情報は、ＣＭＹＫの４成分で表され
文書データの文字、図形、罫線部分は、入力装置４から入力され、各々の色はＣＭＹＫの４成分によって指定され
【００２３】また、
画像の部分はカラースキャナ５から入力され
カラースキャナ５で
原稿のイメージをＲＧＢの３成分で読み取り
それをＣＭＹＫのデータに変換して
文書データ中の画像の部分はＣＭＹＫのデータとして記憶され
【００２４】
このような文書データを表示する場合
ＣＭＹＫで定義されたデータを表示装置６で表示可能なＲＧＢのデータに変換する
また、カラープリンタ７へ出力する場合には文書データ中のＣＭＹＫ４成分のデータが使用され
イメージセッター８で出力する場合には、ＣＭＹＫのデータによってＣ版、Ｍ版、Ｙ版、Ｋ版という４つの版が出力され、この４版を用いて印刷処理が行われ
【００２５】次に、図１０に示すように、
特色２色出力を行う場合
入力装置４から色指定は特色１、特色２の２成分で行われる
カラースキャナ５から入力される画像データはＣＭＹＫの４成分である
文書データを表示装置６に表示させる場合には、まず、特色１と特色２で表現された文字・図形・罫線の部分の色情報から、特色対応テーブルを用いて、ＣＭＹＫの４成分を生成し、それを表示用のＲＧＢデータに変換
また、画像の部分は、まず、特色対応テーブルに従って、特色１、特色２の成分割合としてＣＭＹＫ何れか２色の成分の割合を当てはめ（使用者によって指定され、特色対応テーブルに設定されるものであって、この場合にはＣのデータを特色１に、Ｍのデータを特色２に当てはめるものとする）、その後、文字・図形・罫線部分と同様にＣＭＹＫの４成分を生成してそれを表示用のデータに変換
【００２６】
カラープリンタ７への出力の場合には、表示装置６の場合と同様にしてＣＭＹＫのデータが生成され、そのＣＭＹＫデータによってカラー出力が行われる。また、イメージセッター８への出力の場合には、文字部分は特色１、特色２のデータ、および画像の部分は、ＣＭＹＫのうち特色対応テーブルに設定された何れか２色の成分を特色１及び特色２に当てはめたデータが用いられ、結果、フィルムに特色１と特色２の出力
【００２７】以上の文書作成装置について、以下、図５、図６のフローチャートに従ってその動作を説明する。
【００２８】ここでは、特色対応テーブルに、図３に示すようなデータが
設定され
特色１は「青」という特色名称で、その成分構成はＣ成分：Ｃ１％、Ｍ成分：Ｍ１％、Ｙ成分：Ｙ１％、Ｋ成分：Ｋ１％であって、画像の部分ではＣ成分のデータを用いる
特色２は「赤」という名称で、その成分構成はＣ成分：Ｃ２％、Ｍ成分：Ｍ２％、Ｙ成分：Ｙ２％、Ｋ成分：Ｋ２％であって、画像の部分ではＭ成分のデータを用いる
【００２９】
このような特色の設定の下に、
特色１（ｔ１％）と特色２（ｔ２％）で色定義され
文字データ、図形データ、罫線データが設定され、
カラースキャナ５から画素毎に（Ｃ，Ｍ，Ｙ，Ｋ）＝（ｃｉ％，ｍｉ％，ｙｉ％，ｋｉ％）、（ただし、ｉ＝１，２，３・・・で、ｃｉ、ｍｉ、ｙｉ、ｋｉは、ｉ番目の画素に対応するデータ）の値を有する画像データ
【００３０】
このような文書データに基づいて、表示装置６への文書表示、カラープリンタ７への出力を行う場合の処理について
【００３１】図５に示すように、
まず、出力先が表示装置６かカラープリンタ７かを判断する（Ｓ１）。表示装置６への表示を行う場合には文字データ、図形データ、罫線データの表示データを生成した後（Ｓ２）、画像データの表示データを生成する（Ｓ７）
また、カラープリンタ７へ出力する場合には文字データ、図形データ、罫線データのプリンタ出力データを生成した後（Ｓ１３）、画像データのプリンタ出力データを生成する（Ｓ１８）
【００３２】Ｓ２の処理はＳ３〜Ｓ６の繰り返しで構成される。
まず、
文字データ（または図形・罫線データ）の色情報（特色１：ｔ１％、特色２：ｔ２％）と、特色対応テーブルに基づいて、文字データ（または図形・罫線データ）における特色１の表示成分と特色２の表示成分とを求め
以下の式を用い
【００３３】
特色１の表示成分：（ｃ１，ｍ１，ｙ１，ｋ１）＝（Ｃ１×ｔ１／１００，Ｍ１×ｔ１／１００，Ｙ１×ｔ１／１００，Ｋ１×ｔ１／１００）
特色２の表示成分：（ｃ２，ｍ２，ｙ２，ｋ２）＝（Ｃ２×ｔ２／１００，Ｍ２×ｔ２／１００，Ｙ２×ｔ２／１００，Ｋ２×ｔ２／１００）
次に、Ｓ５において、
上記の特色１と特色２を重ね合わせた場合の表示成分を算出する
式を用い
【００３４】
表示成分：（ｃ０，ｍ０，ｙ０，ｋ０）＝（ＭＡＸ（ｃ１，ｃ２），ＭＡＸ（ｍ１，ｍ２），ＭＡＸ（ｙ１，ｙ２），ＭＡＸ（ｋ１，ｋ２））（ただし、ＭＡＸ（Ａ，Ｂ）はＡとＢの大きい方の値）
そしてＳ６において、Ｓ５で
算出された表示成分に基づき、文字データ（または図形・罫線データ）の表示データ（画素毎に４色成分を有する）を生成
【００３５】
Ｓ３〜Ｓ６の処理は、全ての文字データ、図形データ、罫線データについて繰り返
【００３６】
Ｓ７の処理はＳ８〜Ｓ１１の繰り返しで構成され
Ｓ８、Ｓ９
画像データ内のある位置の色成分（ｃｉ，ｍｉ，ｙｉ，ｋｉ）、および特色対応テーブルに従って、特色１および特色２の表示成分を取得する
【００３７】具体的には、
特色対応テーブルの設定内容に基づいて、特色１と特色２の成分構成の割合として、画像データのＣ成分、Ｍ成分、Ｙ成分、Ｋ成分の何れかを割り当てる。図３の場合には、特色１にはＣ成分、特色２にはＭ成分を割り当てることに設定されているので、特色１にｃｉ％、特色２にｍｉ％を割り当てる。そして、Ｓ３やＳ４と同様に以下の式によって特色１の表示成分と特色２の表示成分を求める
【００３８】
特色１の表示成分：（ｇｃ１，ｇｍ１，ｇｙ１，ｇｋ１）＝（Ｃ１×ｃｉ／１００，Ｍ１×ｃｉ／１００，Ｙ１×ｃｉ／１００，Ｋ１×ｃｉ／１００）
特色２の表示成分：（ｇｃ２，ｇｍ２，ｇｙ２，ｇｋ２）＝（Ｃ２×ｍｉ／１００，Ｍ２×ｍｉ／１００，Ｙ２×ｍｉ／１００，Ｋ２×ｍｉ／１００）
Ｓ１０において、特色１の表示成分と特色２の表示成分から、画像データ内のある位置の特色１と特色２を重ね合わせた表示成分（ｇｃ０，ｇｍ０，ｇｙ０，ｇｋ０）を以下の式を用いて算出し、Ｓ１１において４成分からなる１画素の表示データを生成する
【００３９】
表示成分：（ｇｃ０，ｇｍ０，ｇｙ０，ｇｋ０）＝（ＭＡＸ（ｇｃ１，ｇｃ２），ＭＡＸ（ｇｍ１，ｇｍ２），ＭＡＸ（ｇｙ１，ｇｙ２），ＭＡＸ（ｇｋ１，ｇｋ２））
Ｓ８〜Ｓ１１の処理を画像データの全画素について繰り返すことにより、画像データの表示データ生成処理は完了する。そしてＳ１２において、Ｓ２、Ｓ７で生成した表示データをＣＭＹＫ→ＲＧＢ変換した後、表示装置６への表示を行う。
【００４０】以上の流れにより特色２色による２色刷り印刷と同じ色合いの文書データが表示装置６に表示される。
【００４１】次に、カラープリンタ７に出力する場合の処理を説明する。
Ｓ１３の処理は、Ｓ１４〜Ｓ１７の繰り返しで構成され
【００４２】
Ｓ１４〜Ｓ１６では、Ｓ３〜Ｓ５と同様にして文字データ（または、図形・罫線データ）について、特色１と特色２を重ね合わせた場合のＣＭＹＫによる色成分を求め、Ｓ１７において文字データ（または、図形・罫線データ）のプリンタ出力データを生成
【００４３】
Ｓ１４〜Ｓ１７の処理は、全ての文字データ、図形データ、罫線データについて繰り返す
【００４４】
Ｓ１８の処理は、Ｓ１９〜Ｓ２２の繰り返しで構成され
Ｓ１９〜Ｓ２１では、Ｓ８〜Ｓ１０と同様にして、画像データ内のある位置の特色１と特色２を重ね合わせたカラープリンタ出力成分が算出され、Ｓ２２でＣＭＹＫ４成分からなる１画素のプリンタ出力データを生成する。そして、Ｓ１９〜Ｓ２２の処理を画像データの全画素について繰り返すことにより
カラープリンタ７への出力画像データの生成処理は完了
【００４５】以上の流れにより、
特色２色による２色刷りと同じ色合いの文書データがカラープリンタ７に出力される
【００４６】次に、文書データ記憶部９と特色対応テーブル記憶部１０に格納された情報を用いて、分版出力用データを作成して、イメージセッター８に出力する場合の処理を、図６のフローチャートに示した流れに従って説明する。
【００４７】図６に示すように、まず、特色１用および特色２用の版の内、どちらの版の出力を行うかを判断し（Ｓ３１）、特色１版のときはＳ３２、Ｓ３５の処理を行い、特色２版のときはＳ３８、Ｓ４１の処理を行う。
【００４８】Ｓ３２の処理はＳ３３、Ｓ３４の繰り返しで構成される。まず、Ｓ３３において文書データ記憶部９内の文書データから文字データ（または、図形・罫線データ）および、対応する色情報を読み出し、該当データの特色１の成分（ｔ１％）を取得する。次に、Ｓ３４においてＳ３３で取得した特色１の成分に基づいて、文字データ（または、図形・罫線データ）のイメージセッター出力データを生成する。そして、Ｓ３３、Ｓ３４の処理を全ての文字データ、図形データ、罫線データについて繰り返す。
【００４９】Ｓ３５の処理は、Ｓ３６、Ｓ３７の繰り返しで構成される。まず、Ｓ３６においては、画像データ内のある位置の色成分（ｃｉ，ｍｉ，ｙｉ，ｋｉ）を取得し、特色対応テーブル内の版割り当てに従って特色１の分版出力成分（ｄ１ｉ）を取得する。これは、特色１としてＣ版を割り当てるならｄ１ｉ＝ｃｉ、Ｍ版ならｄ１ｉ＝ｍｉ、Ｙ版ならｄ１ｉ＝ｙｉ、Ｋ版ならｄ１ｉ＝ｋｉになり、本実施例の場合（図３）には、ｄ１ｉ＝ｃｉとなる。
【００５０】これにより、Ｓ３７において画像の１画素出力データを生成する。Ｓ３６、Ｓ３７の処理を、画像データの全画素について繰り返す。
【００５１】以上のようにＳ３２、Ｓ３５で生成された特色１用の出力データによりイメージセッター８への出力が行われ、特色１インクで着色するための特色１版が作成される。
【００５２】次に、特色２用の版の出力を行う処理について説明する。Ｓ３８はＳ３９、Ｓ４０の繰り返しにより構成され、Ｓ３２と同様にして文字データ、図形データ、罫線データについて特色２用の版の出力データが生成される。
【００５３】また、Ｓ４１の処理は、Ｓ４２、Ｓ４３の繰り返しで構成される。まず、Ｓ４２においては、Ｓ３６と同様に画像データ内のある位置の色成分（ｃｉ，ｍｉ，ｙｉ，ｋｉ）から、特色対応テーブル内の版割り当てに従って特色２の分版出力成分（ｄ２ｉ）を取得する。これは、特色２としてＣ版を割り当てるならｄ２ｉ＝ｃｉ、Ｍ版ならｄ２ｉ＝ｍｉ、Ｙ版ならｄ２ｉ＝ｙｉ、Ｋ版ならｄ２ｉ＝ｋｉになり、本実施例の場合（図３）には、ｄ２ｉ＝ｍｉとなる。これにより、Ｓ４３において画像の１画素の出力データを生成する。
【００５４】Ｓ４２、Ｓ４３の処理を、画像データの全画素について繰り返す。以上のようにＳ４２、Ｓ４３で生成された特色２用の出力データによりイメージセッター８への出力が行われ、特色２インクで着色するための特色２版が作成される。
【００５５】上記のようにして出力した特色１用および特色２用の２枚の分版出力結果に、それぞれの特色インクで着色して重ね刷りすることにより、最終的な２色刷り画像印刷物が作成される。
【００５６】以上のように本実施の形態では、特色２色によるカラー画像を含んだ画像作成時において、新たにフルカラー画像の基本色成分のうちの２色成分を特色２色成分に対応させ、ＣＲＴ画面やカラープリンタに特色２色を重ね合わせた色成分を合成して表示・出力し、分版印刷も可能にすることにより、特色２色による２色刷り画像が、ＣＲＴ画面やカラープリンタで最終印刷物と同じ色合いを確認しながら容易に作成でき、分版出力も容易に可能になる。」
　
（４）「【００５７】
【発明の効果】以上ののように本発明によれば、データを入力する入力手段と、入力手段より入力され、カラー画像データおよびカラー画像の基本構成色を特色２色に対応させる特色対応テーブルと、入力手段により入力された画像データを記憶する画像データ記憶手段と、画像データ記憶手段に記憶された画像データを読み出して、特色対応テーブル情報を付加して出力データに変換する出力データ作成手段と、出力データ作成手段により得られた出力データを出力装置に出力する出力手段と、を有する構成としたことにより、特色２色によるカラー画像作成時において、特色２色による２色刷り画像が、表示画面に表示される画像と同じ色合いとなるので、操作者は、表示画面上で実際の色合いを確認しながら調整を行うことができる。」
　
（５）上記（１）ないし（４）から、引用例には、
「２色の特色インクを重ね刷りしてカラー画像を作成する文書作成装置であって、
　装置全体の制御及び各種データ処理を行う中央処理装置ＣＰＵと、各種データを記憶するランダム・アクセス・メモリＲＡＭと、前記ＣＰＵが実行する制御プログラムのほか、各種のプログラムを記憶するリード・オンリー・メモリＲＯＭと、キーボードやマウスなどの入力装置と、原稿のイメージをＲ（赤）、Ｇ（緑）、Ｂ（青）成分毎に読み取りそれをＣＭＹＫ４色のデータに変換して出力するカラースキャナと、ＣＲＴや液晶などの表示装置と、Ｃ（シアン）、Ｍ（マゼンダ）、Ｙ（イエロー）、Ｋ（黒）の４色の組み合わせによりカラー出力を行う電子写真方式やインクジェット方式などによるカラープリンタと、版下作成用のフィルムにレーザーによって文書イメージを記録することにより、フルカラー印刷を行う場合には１文書につき印刷用の各色版に対応した合計４版の出力を行うイメージセッターとを備え、
　前記ランダム・アクセス・メモリＲＡＭ内には、文書データを記憶する文書データ記憶部及び特色対応テーブルを記憶する特色対応テーブル記憶部が設けられており、
　前記文書データ記憶部に記憶される文書データは、文書名、書式情報、前記入力装置から入力される文字コード列である文字データ、図形の種類、図形・罫線の位置、サイズなどの情報からなる図形データ及び罫線データ、画像データなどから構成されており、
　前記書式情報は、文字色情報、図形色情報、罫線色情報の各色情報を含み、該各色情報は、Ｃ、Ｍ、Ｙ、Ｋ、特色１、特色２という６種類の項目を有し、これらの項目は前記入力装置によってそれぞれ０から１００％の値が設定され、
　前記文字データ、図形データ及び罫線データは、前記各色情報に基づく色で出力されるようになっており、例えば、文字データ、図形データ、罫線データが特色１がｔ１％と特色２がｔ２％と設定されて色定義されているとし、
　他方、前記画像データは、前記カラースキャナから読み込まれ、各画素毎に（Ｃ，Ｍ，Ｙ，Ｋ）＝（ｃｉ％，ｍｉ％，ｙｉ％，ｋｉ％）、（ただし、ｉ＝１，２，３・・・で、ｃｉ、ｍｉ、ｙｉ、ｋｉは、ｉ番目の画素に対応するデータ）の４つの色成分の値を有するものであり、
　前記特色対応テーブルは、メーカーが公表している各特色を識別するための特色名称、メーカーが公表している特色のＣＭＹＫ成分比率、及び、画像データを特色で出力する場合に各特色に画像データ中のＣ、Ｍ、ＹまたはＫのどの色成分を割り当てるかを示す情報から構成されており、例えば、特色１は『青』という特色名称で、その成分構成はＣ成分：Ｃ１％、Ｍ成分：Ｍ１％、Ｙ成分：Ｙ１％、Ｋ成分：Ｋ１％であって、画像の部分ではＣ成分のデータを用いると設定され、特色２は『赤』という名称で、その成分構成はＣ成分：Ｃ２％、Ｍ成分：Ｍ２％、Ｙ成分：Ｙ２％、Ｋ成分：Ｋ２％であって、画像の部分ではＭ成分のデータを用いると設定されているものとし、
　フルカラー出力する場合は、文書データの色情報はＣＭＹＫの４成分で表され、文書データの文字、図形、罫線部分は前記入力装置から入力され、各々の色はＣＭＹＫの４成分によって指定され、また、文書データの画像の部分は前記カラースキャナで原稿のイメージをＲＧＢの３成分で読み取って入力され、ＣＭＹＫのデータに変換され、そしてＣＭＹＫのデータとして記憶され、このような文書データを前記表示装置に表示させる場合には、ＣＭＹＫで定義されたデータを前記表示装置で表示可能なＲＧＢのデータに変換し、また、前記カラープリンタへ出力する場合には、文書データ中のＣＭＹＫ４成分のデータが使用され、前記イメージセッターで出力する場合には、ＣＭＹＫのデータによってＣ版、Ｍ版、Ｙ版、Ｋ版という４つの版が出力されて、この４版を用いて印刷処理が行われ、
　特色２色出力を行う場合は、前記入力装置からの色指定は、特色１、特色２の２成分で行われるが、前記カラースキャナから入力される画像データは、ＣＭＹＫの４成分であるから、文書データを前記表示装置に表示させる場合には、まず、特色１と特色２で表現された文字・図形・罫線の部分の色情報から、特色対応テーブルを用いて、ＣＭＹＫの４成分を生成し、それを表示用のＲＧＢデータに変換し、また、画像の部分は、まず、特色対応テーブルに従って、特色１、特色２の成分割合としてＣＭＹＫ何れか２色の成分の割合を当てはめ（使用者によって指定され、特色対応テーブルに設定されるものであって、この場合にはＣのデータを特色１に、Ｍのデータを特色２に当てはめるものとする）、その後、文字・図形・罫線部分と同様にＣＭＹＫの４成分を生成してそれを表示用のデータに変換し、文書データを前記カラープリンタへの出力の場合には、前記表示装置の場合と同様にしてＣＭＹＫのデータが生成され、そのＣＭＹＫデータによってカラー出力が行われ、また、前記イメージセッターへの出力の場合には、文字部分は特色１、特色２のデータ、および画像の部分は、ＣＭＹＫのうち特色対応テーブルに設定された何れか２色の成分を特色１及び特色２に当てはめたデータが用いられ、結果、フィルムに特色１と特色２の出力が行われ、
　このような文書データに基づいて、前記表示装置への文書表示、前記カラープリンタへの出力を行う場合の処理は、まず、出力先が表示装置かカラープリンタかを判断し（Ｓ１）、表示装置への表示を行う場合には文字データ、図形データ、罫線データの表示データを生成した後（Ｓ２）、画像データの表示データを生成し（Ｓ７）、その後、生成した表示データをＣＭＹＫ→ＲＧＢ変換した後、前記表示装置への表示を行うようにし、また、前記カラープリンタへ出力する場合には文字データ、図形データ、罫線データのプリンタ出力データを生成した後（Ｓ１３）、画像データのプリンタ出力データを生成し（Ｓ１８）、カラープリンタへの出力画像データの生成処理が完了した後、特色２色による２色刷りと同じ色合いの文書データが前記カラープリンタに出力されるようになっており、
　文字データ、図形データ、罫線データの表示データを生成する前記処理（Ｓ２）は、まず、文字データ（または図形・罫線データ）の色情報（特色１：ｔ１％、特色２：ｔ２％）と、特色対応テーブルに基づいて、特色１の表示成分：（ｃ１，ｍ１，ｙ１，ｋ１）＝（Ｃ１×ｔ１／１００，Ｍ１×ｔ１／１００，Ｙ１×ｔ１／１００，Ｋ１×ｔ１／１００）、及び、特色２の表示成分：（ｃ２，ｍ２，ｙ２，ｋ２）＝（Ｃ２×ｔ２／１００，Ｍ２×ｔ２／１００，Ｙ２×ｔ２／１００，Ｋ２×ｔ２／１００）の式を用い、文字データ（または図形・罫線データ）における特色１の表示成分と特色２の表示成分とを求め（Ｓ３、Ｓ４で）、次に、表示成分：（ｃ０，ｍ０，ｙ０，ｋ０）＝（ＭＡＸ（ｃ１，ｃ２），ＭＡＸ（ｍ１，ｍ２），ＭＡＸ（ｙ１，ｙ２），ＭＡＸ（ｋ１，ｋ２））（ただし、ＭＡＸ（Ａ，Ｂ）はＡとＢの大きい方の値）の式を用い、上記の特色１と特色２を重ね合わせた場合の表示成分を算出し（Ｓ５）、そして、算出された表示成分に基づき、文字データ（または図形・罫線データ）の表示データ（画素毎に４色成分を有する）を生成する（Ｓ６）処理を、全ての文字データ、図形データ、罫線データについて繰り返すものであり、
　画像データの表示データを生成する前記処理（Ｓ７）は、画像データ内のある位置の色成分（ｃｉ，ｍｉ，ｙｉ，ｋｉ）、および特色対応テーブルに従って、特色１および特色２の表示成分を取得し（Ｓ８、Ｓ９）、特色１の表示成分と特色２の表示成分から、画像データ内のある位置の特色１と特色２を重ね合わせた表示成分（ｇｃ０，ｇｍ０，ｇｙ０，ｇｋ０）を、表示成分：（ｇｃ０，ｇｍ０，ｇｙ０，ｇｋ０）＝（ＭＡＸ（ｇｃ１，ｇｃ２），ＭＡＸ（ｇｍ１，ｇｍ２），ＭＡＸ（ｇｙ１，ｇｙ２），ＭＡＸ（ｇｋ１，ｇｋ２））の式を用いて算出し（Ｓ１０）、４成分からなる１画素の表示データを生成する（Ｓ１１）処理（Ｓ８〜Ｓ１１）の繰り返しで構成され、
　特色１および特色２の表示成分を取得する前記処理（Ｓ８、Ｓ９）は、特色対応テーブルの設定内容に基づいて、特色１と特色２の成分構成の割合として、画像データのＣ成分、Ｍ成分、Ｙ成分、Ｋ成分の何れか、ここでは、特色１にはＣ成分、特色２にはＭ成分を割り当てることに設定されているので、特色１にｃｉ％、特色２にｍｉ％を割り当て、そして、特色１の表示成分：（ｇｃ１，ｇｍ１，ｇｙ１，ｇｋ１）＝（Ｃ１×ｃｉ／１００，Ｍ１×ｃｉ／１００，Ｙ１×ｃｉ／１００，Ｋ１×ｃｉ／１００）、及び、特色２の表示成分：（ｇｃ２，ｇｍ２，ｇｙ２，ｇｋ２）＝（Ｃ２×ｍｉ／１００，Ｍ２×ｍｉ／１００，Ｙ２×ｍｉ／１００，Ｋ２×ｍｉ／１００）の式によって特色１の表示成分と特色２の表示成分を求めるものであり、
　文字データ、図形データ、罫線データのプリンタ出力データを生成する前記処理（Ｓ１３）は、前記画像データの表示データを生成する処理（Ｓ２）における特色１の表示成分と特色２の表示成分とを求め、特色１と特色２を重ね合わせた場合の表示成分を算出する処理（Ｓ３〜Ｓ５）と同様にして文字データ（または、図形・罫線データ）について、特色１と特色２を重ね合わせた場合のＣＭＹＫによる色成分を求め（Ｓ１４〜１６）、文字データ（または、図形・罫線データ）のプリンタ出力データを生成する（Ｓ１７）処理の繰り返しで構成され、
　画像データのプリンタ出力データを生成する前記処理（Ｓ１８）は、前記特色１および特色２の表示成分を取得する処理（Ｓ８、Ｓ９）及び、特色１の表示成分と特色２の表示成分から、画像データ内のある位置の特色１と特色２を重ね合わせた表示成分（ｇｃ０，ｇｍ０，ｇｙ０，ｇｋ０）を、表示成分：（ｇｃ０，ｇｍ０，ｇｙ０，ｇｋ０）＝（ＭＡＸ（ｇｃ１，ｇｃ２），ＭＡＸ（ｇｍ１，ｇｍ２），ＭＡＸ（ｇｙ１，ｇｙ２），ＭＡＸ（ｇｋ１，ｇｋ２））の式を用いて算出する処理（Ｓ１０）と同様にして、画像データ内のある位置の特色１と特色２を重ね合わせたカラープリンタ出力成分を算出し（Ｓ１９〜Ｓ２１）、ＣＭＹＫ４成分からなる１画素のプリンタ出力データを生成する（Ｓ２２）処理を画像データの全画素について繰り返すことにより構成されている、
　文書作成装置。」の発明（以下「引用発明」という。）が記載されているものと認められる。
　
５　当審の判断
　本願発明と引用発明とを対比する。
（１）まず、本願の発明の詳細な説明に記載されている各構成が本願発明のどの構成に対応するのかを意見書における請求人の主張に沿って検討すると以下のとおりである。
　ア　本願発明の「ハーフトーンのイメージをプリントする装置内に複数のドナーカラーを設ける」ことについては、発明の詳細な説明に記載されている「イメージ処理装置１０内に染料ドナーロール材料のロール３４が設けられること、典型的には、黒、黄色、マゼンタ及びシアンの染料ドナーロール材料が含まれる」（【００３５】）ことが対応するものと解される。
　したがって、本願発明の「ハーフトーンのイメージをプリントする装置」には、発明の詳細な説明に記載されている「イメージ処理装置１０」が含まれ、本願発明の「複数のドナーカラー」には、発明の詳細な説明に記載されている「黒、黄色、マゼンタ及びシアンの染料ドナーロール材料」が含まれるものと解される。
　イ　本願発明の「複数のイメージカラーのためのハーフトーンビットマップファイル」及び「前記ハーフトーンビットマップファイルの中の一つ」については、発明の詳細な説明に記載されている「ＲＩＰはハーフトーンのイメージをディジタルファイル内のアートワーク、ラインワーク及びテキストと結合して、シアン５４４、マゼンタ５４３、黄色５４２、及び黒５４１用のビットマップファイルを作る」（【００４５】）こと、「プロセスカラーを最大輝度で用いても再生することができない特別なカラーに対してＲＩＰが特別なカラーのビットマップファイル５４５を作る」（【００４６】）こと、「処方カラーを作るために、ＲＩＰは各処方カラーについて１つの追加のビットマッププレーンを生成する」【００５１】こと、及び「処方カラーのビットマップ５４６」（図１３）が対応するものと解される。
　したがって、本願発明の「複数のイメージカラーのためのハーフトーンビットマップファイル」には、発明の詳細な説明に記載されている「シアン用のビットマップファイル５４４、マゼンタ用のビットマップファイル５４３、黄色用のビットマップファイル５４２、黒用のビットマップファイル５４１、特別なカラーのビットマップファイル５４５及び処方カラーのビットマップ５４６」が含まれ、本願発明の「前記ハーフトーンビットマップファイルの中の一つ」には、発明の詳細な説明に記載されている「処方カラーのビットマップ５４６」が含まれるものと解される。
　ウ　本願発明の「レシーバが特定色のためのカラー処方情報を取得する」ことについては、発明の詳細な説明に記載されている「ＲＩＰ５４０が特別なカラーのビットマップファイルを作り、それを処方カラーのビットマップファイル５４６としてセーブし、ディジタルハーフターンプルーファ５５０がビットマップ５４６を用いてイメージ形成する」（【００４９】）こと、及び、「ビットマップファイル５４６等がディジタルハーフトーンプルーファ５５０に供給される」（図１３）ことが対応するものと解されるとともに、図１３の記載から、「ディジタルハーフトーンプルーファ５５０が特定色のためのカラー処方情報を取得するレシーバとして機能する」ことが把握される。
　したがって、本願発明の「特定色のためのカラー処方情報」には、発明の詳細な説明に記載されている「処方カラーのビットマップファイル５４６」が含まれ、本願発明の「レシーバ」には、発明の詳細な説明に記載されている「ディジタルハーフトーンプルーファ５５０」が含まれるものと解される。
　エ　本願発明の「第１の輝度でプリントされた第１のドナーカラー」及び「第２の輝度でプリントされた第２のドナーカラー」については、発明の詳細な説明に記載されている「図１３で参照番号５４６として記憶された処方カラーのビットマップは、コダック赤色用のビットマップを含み、同じビットマップを使用して
マゼンタ
黄色
　したがって、本願発明の「第１の輝度でプリントされた第１のドナーカラー」及び「第２の輝度でプリントされた第２のドナーカラー」には、それぞれ、上記【００５５】の記載における「マゼンタ」及び「黄色」が含まれるものと解される。
　オ　本願発明の「前記プリントヘッドは、前記特定色のハーフトーンビットマップをイメージ形成する」ことについては、発明の詳細な説明に記載されている「ディジタルハーフトーンプルーファ５５０がイメージ形成する」（【００４９】）こと、及び、「プリントヘッド５００が意図したイメージをサーマルプリント媒体３２上に作る」（【００３６】）ことが対応するものと解される。
　したがって、本願発明の「前記プリントヘッドは、前記特定色のハーフトーンビットマップをイメージ形成する」ことには、発明の詳細な説明に記載されている「ディジタルハーフトーンプルーファ５５０がイメージ形成する」こと、及び「プリントヘッド５００が意図したイメージをサーマルプリント媒体３２上に作る」ことが含まれるものと解される。
　
（２）引用発明の文書作成装置では、フルカラー出力する場合であって、かつ、カラープリンタへ出力する場合には、文書データの色情報はＣＭＹＫの４成分で表され、文書データの文字、図形、罫線部分は前記入力装置から入力され、各々の色はＣＭＹＫの４成分によって指定され、また、文書データの画像の部分は前記カラースキャナで原稿のイメージをＲＧＢの３成分で読み取って入力され、ＣＭＹＫのデータに変換され、そしてＣＭＹＫのデータとして記憶され、このような文書データ中のＣＭＹＫ４成分のデータが使用されるから、引用発明の「カラープリンタを備えた文書作成装置」は、ハーフトーンのイメージをプリントするものであるといえる。
　したがって、引用発明の「文書作成装置」と本願発明の「装置」とは「ハーフトーンのイメージをプリントする装置」である点で一致する。
　
（３）引用発明の文書作成装置では、
　前記カラープリンタへ出力する場合には、文字データ、図形データ、罫線データのプリンタ出力データを生成した後（Ｓ１３）、画像データのプリンタ出力データを生成し（Ｓ１８）、カラープリンタへの出力画像データの生成処理が完了した後、特色２色による２色刷りと同じ色合いの文書データが前記カラープリンタに出力されるようになっており、
　文字データ、図形データ、罫線データのプリンタ出力データを生成する前記処理（Ｓ１３）は、前記画像データの表示データを生成する処理（Ｓ２）における特色１の表示成分と特色２の表示成分とを求め、特色１と特色２を重ね合わせた場合の表示成分を算出する処理（Ｓ３〜Ｓ５）と同様にして文字データ（または、図形・罫線データ）について、特色１と特色２を重ね合わせた場合のＣＭＹＫによる色成分を求め（Ｓ１４〜１６）、文字データ（または、図形・罫線データ）のプリンタ出力データを生成する（Ｓ１７）処理の繰り返しで構成され、
　画像データのプリンタ出力データを生成する前記処理（Ｓ１８）は、前記特色１および特色２の表示成分を取得する処理（Ｓ８、Ｓ９）、すなわち特色対応テーブルの設定内容に基づいて、特色１と特色２の成分構成の割合として、画像データのＣ成分、Ｍ成分、Ｙ成分、Ｋ成分の何れか、ここでは、特色１にはＣ成分、特色２にはＭ成分を割り当てることに設定されているので、特色１にｃｉ％、特色２にｍｉ％を割り当て、そして、特色１の表示成分：（ｇｃ１，ｇｍ１，ｇｙ１，ｇｋ１）＝（Ｃ１×ｃｉ／１００，Ｍ１×ｃｉ／１００，Ｙ１×ｃｉ／１００，Ｋ１×ｃｉ／１００）、及び、特色２の表示成分：（ｇｃ２，ｇｍ２，ｇｙ２，ｇｋ２）＝（Ｃ２×ｍｉ／１００，Ｍ２×ｍｉ／１００，Ｙ２×ｍｉ／１００，Ｋ２×ｍｉ／１００）の式によって特色１の表示成分と特色２の表示成分を求めて取得する処理（Ｓ８、Ｓ９）、及び、特色１の表示成分と特色２の表示成分から、画像データ内のある位置の特色１と特色２を重ね合わせた表示成分（ｇｃ０，ｇｍ０，ｇｙ０，ｇｋ０）を、表示成分：（ｇｃ０，ｇｍ０，ｇｙ０，ｇｋ０）＝（ＭＡＸ（ｇｃ１，ｇｃ２），ＭＡＸ（ｇｍ１，ｇｍ２），ＭＡＸ（ｇｙ１，ｇｙ２），ＭＡＸ（ｇｋ１，ｇｋ２））の式を用いて算出する処理（Ｓ１０）と同様にして、画像データ内のある位置の特色１と特色２を重ね合わせたカラープリンタ出力成分を算出し（Ｓ１９〜Ｓ２１）ているから、
　これを、表示における記号「ｇ」をカラープリント出力における記号「ｐ」に変更して具体的に記述すると、画像データのプリンタ出力データを生成する前記処理（Ｓ１８）は、特色対応テーブルの設定内容に基づいて、特色１と特色２の成分構成の割合として、画像データのＣ成分、Ｍ成分、Ｙ成分、Ｋ成分の何れか、ここでは、特色１にはＣ成分、特色２にはＭ成分を割り当てることに設定されているので、特色１にｃｉ％、特色２にｍｉ％を割り当て、そして、特色１のプリンタ出力成分：（ｐｃ１，ｐｍ１，ｐｙ１，ｐｋ１）＝（Ｃ１×ｃｉ／１００，Ｍ１×ｃｉ／１００，Ｙ１×ｃｉ／１００，Ｋ１×ｃｉ／１００）、及び、特色２のプリンタ出力成分：（ｐｃ２，ｐｍ２，ｐｙ２，ｐｋ２）＝（Ｃ２×ｍｉ／１００，Ｍ２×ｍｉ／１００，Ｙ２×ｍｉ／１００，Ｋ２×ｍｉ／１００）の式によって特色１のプリンタ出力成分と特色２のプリンタ出力成分を求めて取得する処理（Ｓ１９、Ｓ２０）、及び、特色１のプリンタ出力成分と特色２のプリンタ出力成分から、画像データ内のある位置の特色１と特色２を重ね合わせたプリンタ出力成分（ｐｃ０，ｐｍ０，ｐｙ０，ｐｋ０）を、プリンタ出力成分：（ｐｃ０，ｐｍ０，ｐｙ０，ｐｋ０）＝（ＭＡＸ（ｐｃ１，ｐｃ２），ＭＡＸ（ｐｍ１，ｐｍ２），ＭＡＸ（ｐｙ１，ｐｙ２），ＭＡＸ（ｐｋ１，ｐｋ２））の式を用いて算出する処理（Ｓ２１）により、画像データ内のある位置の特色１と特色２を重ね合わせたカラープリンタ出力成分を算出し（Ｓ１９〜Ｓ２１）、ＣＭＹＫ４成分からなる１画素のプリンタ出力データを生成する（Ｓ２２）処理を画像データの全画素について繰り返すことにより構成されているものである。
　してみると、前記処理（Ｓ１８）で、特色１のプリンタ出力成分（ｐｃ１，ｐｍ１，ｐｙ１，ｐｋ１）と、特色２のプリンタ出力成分（ｐｃ２，ｐｍ２，ｐｙ２，ｐｋ２）を取得し、画像データ内のある位置の特色１と特色２を重ね合わせたカラープリンタ出力成分を算出して、繰り返し生成されたＣＭＹＫ４成分からなる画像データの全画素分のプリンタ出力データには、画像データの全画素分の特色１のプリンタ出力成分（ｐｃ１，ｐｍ１，ｐｙ１，ｐｋ１）と、画像データの全画素分の特色２のプリンタ出力成分（ｐｃ２，ｐｍ２，ｐｙ２，ｐｋ２）とが含まれていることになる。
　ここで、上記（１）ウの「ディジタルハーフトーンプルーファ５５０」は「カラープリンタ」であり、上記（１）ウで「ディジタルハーフトーンプルーファ５５０」は本願発明の「レシーバ」に含まれるから、上記（１）ウからみて、引用発明の「カラープリンタ」は本願発明の「レシーバ」に相当するものと解され、また、前記カラープリンタに出力される「特色２色による２色刷りと同じ色合いの文書データ」には「画像データの全画素分のプリンタ出力データ」が含まれているから、前記カラープリンタに出力される「特色２色による２色刷りと同じ色合いの文書データ」には「画像データの全画素分の特色１のプリンタ出力成分（ｐｃ１，ｐｍ１，ｐｙ１，ｐｋ１）」と、「画像データの全画素分の特色２のプリンタ出力成分（ｐｃ２，ｐｍ２，ｐｙ２，ｐｋ２）」とが含まれることになるところ、この「画像データの全画素分の特色１のプリンタ出力成分（ｐｃ１，ｐｍ１，ｐｙ１，ｐｋ１）」及び「画像データの全画素分の特色２のプリンタ出力成分（ｐｃ２，ｐｍ２，ｐｙ２，ｐｋ２）」は、本願発明の「複数のイメージカラーのためのハーフトーンビットマップファイル」に「複数のイメージカラーのためのハーフトーンビットマップファイル」に「特別なカラーのビットマップファイル５４５」や「処方カラーのビットマップ５４６」が含まれる（上記（１）イ参照。）ことからみて、本願発明の「複数のイメージカラーのためのハーフトーンビットマップファイル」に相当するといえ、上記「画像データの全画素分の特色１のプリンタ出力成分（ｐｃ１，ｐｍ１，ｐｙ１，ｐｋ１）」及び「画像データの全画素分の特色２のプリンタ出力成分（ｐｃ２，ｐｍ２，ｐｙ２，ｐｋ２）」は、本願発明の「前記ハーフトーンビットマップファイルの中の一つ」に「処方カラーのビットマップ５４６」が含まれる（上記（１）イ参照。）ことからみて、いずれも、本願発明の「前記ハーフトーンビットマップファイルの中の一つ」に相当し、上記「特色１」及び「特色２」は、いずれも本願発明の「特定色」に相当し、上記「画像データの全画素分の特色１のプリンタ出力成分（ｐｃ１，ｐｍ１，ｐｙ１，ｐｋ１）」及び「画像データの全画素分の特色２のプリンタ出力成分（ｐｃ２，ｐｍ２，ｐｙ２，ｐｋ２）」は、いずれも、本願発明の「前記ハーフトーンビットマップファイルの中の一つに対応する特定色のためのカラー処方情報」に相当するといえる。
　したがって、引用発明は、本願発明の「複数のイメージカラーのためのハーフトーンビットマップファイルと、前記ハーフトーンビットマップファイルの中の一つに対応する特定色のためのカラー処方情報を取得するレシーバ」を備えているといえる。
　
（４）引用発明において、「文書データ記憶部に記憶される文書データを構成する画像データ」は、前記カラースキャナから読み込まれ、各画素毎に（Ｃ，Ｍ，Ｙ，Ｋ）＝（ｃｉ％，ｍｉ％，ｙｉ％，ｋｉ％）、（ただし、ｉ＝１，２，３・・・で、ｃｉ、ｍｉ、ｙｉ、ｋｉは、ｉ番目の画素に対応するデータ）の４つの色成分の値を有するものであり、「特色対応テーブル」は、例えば、特色１は『青』という特色名称で、その成分構成はＣ成分：Ｃ１％、Ｍ成分：Ｍ１％、Ｙ成分：Ｙ１％、Ｋ成分：Ｋ１％であって、画像の部分ではＣ成分のデータを用いると設定されているものであるところ、引用発明の「前記ハーフトーンビットマップファイルの中の一つに対応する特定色のためのカラー処方情報（例えば、画像データの全画素分の特色１のプリンタ出力成分（ｐｃ１，ｐｍ１，ｐｙ１，ｐｋ１））」は、特色１の成分構成の割合として、画像データのＣ成分を割り当てることに設定されているので、特色１にｃｉ％を割り当て、そして、特色１のプリンタ出力成分：（ｐｃ１，ｐｍ１，ｐｙ１，ｐｋ１）＝（Ｃ１×ｃｉ／１００，Ｍ１×ｃｉ／１００，Ｙ１×ｃｉ／１００，Ｋ１×ｃｉ／１００）の式によって特色１のプリンタ出力成分を求めて取得する処理（Ｓ１９）により、ＣＭＹＫ４成分からなる１画素のプリンタ出力データを生成する処理を、画像データの全画素について繰り返して生成したものであるから、引用発明の「特色１」は、Ｃ１％のシアン、Ｍ１％のマゼンタ、Ｙ１％の黄、Ｋ１％の黒からなるものであって、各色の輝度は、それぞれ、（Ｃ１×ｃｉ／１００），（Ｍ１×ｃｉ／１００），（Ｙ１×ｃｉ／１００），（Ｋ１×ｃｉ／１００）で表現できる。
　したがって、引用発明では、「ハーフトーンビットマップファイルの中の一つに対応する特定色のためのカラー処方情報（例えば、画像データの全画素分の特色１のプリンタ出力成分（ｐｃ１，ｐｍ１，ｐｙ１，ｐｋ１））」を用いて、ｐｃ１（Ｃ１×ｃｉ／１００）の輝度のシアン，ｐｍ１（Ｍ１×ｃｉ／１００）の輝度のマゼンタ，ｐｙ１（Ｙ１×ｃｉ／１００）の輝度の黄，ｐｋ１（Ｋ１×ｃｉ／１００）の輝度の黒を特定しているといえ、本願発明の「第１の輝度でプリントされた第１のドナーカラー」及び「第２の輝度でプリントされた第２のドナーカラー」に、それぞれ、「マゼンタ」及び「黄色」が含まれる（上記（１）エ参照。）ことからみて、例えば、引用発明の「ｐｃ１（Ｃ１×ｃｉ／１００）の輝度のシアン」、「ｐｍ１（Ｍ１×ｃｉ／１００）の輝度のマゼンタ」及び「画像データのＣ成分」は、それぞれ、本願発明の「第１の輝度でプリントされた第１のドナーカラー」、「第２の輝度でプリントされた第２のドナーカラー」及び「同じ１つのビットマップ」に相当する。
　したがって、引用発明は本願発明の「前記カラー処方情報は、第１の輝度でプリントされた第１のドナーカラーと、第２の輝度でプリントされた第２のドナーカラーを同じ１つのビットマップを用いて特定し」との事項を備えている。
　
（５）「ディジタルハーフトーンプルーファ５５０」は「カラープリンタ」であり（上記（３）参照。）、引用発明の「ハーフトーンのイメージをプリントする装置（カラープリンタを備えた文書作成装置）」は、「複数のイメージカラーのためのハーフトーンビットマップファイルと、前記ハーフトーンビットマップファイルの中の一つに対応する特定色のためのカラー処方情報を取得するレシーバ（カラープリンタ）」を備えており、引用発明の「カラープリンタ」は電子写真方式やインクジェット方式などによるものであるから「プリントヘッド」を有しているものと解されること、「ディジタルハーフトーンプルーファ５５０がイメージ形成する」ことが本願発明の「前記プリントヘッドは、前記特定色のハーフトーンビットマップをイメージ形成する」に含まれる（上記（１）オ参照。）ことからして、引用発明の「ハーフトーンのイメージをプリントする装置（カラープリンタを備えた文書作成装置）」は、本願発明の「カラー処方情報に基づいて前記特定色のハーフトーンビットマップをイメージ形成するプリントヘッド」を備えているといえる。
　そして、引用発明の「ハーフトーンのイメージをプリントする装置（文書作成装置）」が備える「レシーバ（カラープリンタ）」が、電子写真方式によるものの場合には、装置内に複数色のトナーを備えており、インクジェット方式によるものの場合には、装置内に複数色のインクを備えていることが、当業者に自明であって、これら「複数色のトナー」や「複数色のインク」は、本願発明の「複数のドナーカラー」に「黒、黄色、マゼンタ及びシアンの染料ドナーロール材料」が含まれこと（上記（１）ア参照。）からみて、本願発明の「前記装置内に設けられた複数のドナーカラー」に相当する。
　
（６）上記（１）ないし（５）からみて、本願発明と引用発明とは、
「ハーフトーンのイメージをプリントする装置であって、
　プリントヘッドと、
　前記装置内に設けられた複数のドナーカラーと、
　複数のイメージカラーのためのハーフトーンビットマップファイルと、前記ハーフトーンビットマップファイルの中の一つに対応する特定色のためのカラー処方情報を取得するレシーバと、
　を備え、
　前記カラー処方情報は、第１の輝度でプリントされた第１のドナーカラーと、第２の輝度でプリントされた第２のドナーカラーを同じ１つのビットマップを用いて特定し、
　前記プリントヘッドは、前記カラー処方情報に基づいて前記特定色のハーフトーンビットマップをイメージ形成する
　ことを特徴とする装置。」の点で一致し、相違するところはない。
　
　したがって、本願発明は、引用発明と同一の発明であるから、刊行物１に記載された発明である。
　
　なお、当審拒絶理由は、特許法第２９条第１項第３号に該当するというものではないが、審判請求人は、意見書において、本願発明と上記刊行物１とを対比し、容易性のみならず、同一性についても検討していることは明らかである。
　
６　むすび
　以上のとおり、本願発明は、刊行物１に記載された発明であるから、特許法第２９条第１項第３号に該当し、特許を受けることができない。
　よって、結論のとおり審決する。